(57)【特許請求の範囲】
【請求項１】
左右方向に水平に延びる頂部支杆と、その両端から斜下方に向かって延びる傾斜支杆と、この傾斜支杆の両下端から前記頂部支杆のほぼ直下まで水平に延びる下脚杆とを有する前後１対の半フレームを、側面視がほぼ二等辺三角形状をなすように互いに向き合わせて配設し、両半フレームにおける前記下脚杆同士を、それぞれ脚台に着脱可能に固着することにより、陳列棚の本体フレームを形成したことを特徴とする商品陳列棚。
【請求項２】
半フレームにおける頂部支杆同士を、着脱可能な連結部材をもって連結した請求項１記載の商品陳列棚。
【請求項３】
本体フレームにおける左右の両傾斜支杆間に複数のワイヤを左右方向に向けて張設し、このワイヤに、商品載置部を備えるワイヤ棚を、その背面に設けた複数の係止フックを係止させて取付けた請求項１または２記載の商品陳列棚。
【請求項４】
ワイヤを上下及び左右方向を向く碁盤網目状とした請求項３記載の商品陳列棚。
【請求項５】
ワイヤ棚が、上位のものが上方に向かって階段状に後退する多段状棚をなし、かつその背面の少なくとも上下の端部に、複数の係止フックを設けた請求項３または４記載の商品陳列棚。
【請求項６】
多段状棚が、本体フレームの傾斜支杆に沿うように任意の角度で傾斜する枠体の前後の傾斜面に、ワイヤにより形成された断面Ｕ字状の商品載置部を上下及び左右方向に階段状に配列したものである請求項５記載の商品陳列棚。
【請求項７】
ワイヤ棚の背面に設けた係止フックを、碁盤網目状のワイヤの上下方向を向くワイヤに嵌まり込む縦スリットを備える幅広のフックとした請求項３〜６のいずれかに記載の商品陳列棚。
【発明の詳細な説明】
【０００１】
【発明の属する技術分野】
本発明は、箱物の商品、例えばビデオソフトやコンパクトディスク、カセットテープ等を陳列して販売するのに適した商品陳列棚に関する。
【０００２】
【従来の技術】
従来のこの種の商品陳列棚としては、例えば特開平６−６４５６４号公報や、実用新案登録第２５３０７４５号公報、特開平９−２３４１４３号公報に記載されているものがある。
【０００３】
【発明が解決しようとする課題】
しかし、実開平６−６４５６４号公報及び特開平９−２３４１４３号公報記載のものは、棚は陳列棚本体から取り外せるとしても、陳列棚本体自体は、据え置き型の一体のものであるため、梱包運搬に問題がある。また、実用新案登録第２５３０７４５号公報に記載のものは、直立柱の両側に棚を取り付けてあるので、分解して運搬することはできるが、設置状態において多数の商品を陳列した際の安定性や強度に問題がある。
【０００４】
実開平６−６４５６４号公報記載のものは、陳列可能な商品の形状や大きさが制約される問題もあり、特開平９−２３４１４３号公報及び実用新案登録第２５３０７４５号公報記載のものは、支柱前面に形成される係止孔に、棚の左右両端の係止フックを係止させて取り付ける方式であるため、左右の位置合わせがしにくく、特に、特開平９−２３４１４３号公報の多段状棚では、２人で作業して取り付ける必要がある。
【０００５】
本発明は、上述の問題点に鑑み、陳列棚本体、すなわち本体フレームまで分解可能とすることにより、梱包運搬に有利で、組立も容易であり、かつ各種商品の陳列に適した商品陳列棚を提供することを目的としている。
【０００６】
【課題を解決するための手段】
本発明によると、上記課題は、次のようにして解決される。
(１) 左右方向に水平に延びる頂部支杆と、その両端から斜下方に向かって延びる傾斜支杆と、この傾斜支杆の両下端から前記頂部支杆のほぼ直下まで水平に延びる下脚杆とを有する前後１対の半フレームを、側面視がほぼ二等辺三角形状をなすように互いに向き合わせて配設し、両半フレームにおける前記下脚杆同士を、それぞれ脚台に着脱可能に固着することにより、陳列棚の本体フレームを形成する。
【０００７】
(２) 上記(１)項において、半フレームにおける頂部支杆同士を、着脱可能な連結部材をもって連結する。
【０００８】
(３) 上記(１)または(２)項において、本体フレームにおける左右の両傾斜支杆間に複数のワイヤを左右方向に向けて張設し、このワイヤに、商品載置部を備えるワイヤ棚を、その背面に設けた複数の係止フックを係止させて取付ける。
【０００９】
(４) 上記(３)項において、ワイヤを上下及び左右方向を向く碁盤網目状とする。
【００１０】
(５) 上記(３)または(４)項において、ワイヤ棚が、上位のものが上方に向かって階段状に後退する多段状棚をなし、かつその背面の少なくとも上下の端部に、複数の係止フックを設けたものとする。
【００１１】
(６) 上記(５)項において、多段状棚が、本体フレームの傾斜支杆に沿うように任意の角度で傾斜する枠体の前後の傾斜面に、ワイヤにより形成された断面Ｕ字状の商品載置部を上下及び左右方向に階段状に配列されたものとする。
【００１２】
(７) 上記(３)〜(６)項のいずれかにおいて、ワイヤ棚の背面に設けた係止フックを、碁盤網目状のワイヤの上下方向を向くワイヤに嵌まり込む縦スリットを備える幅広のフックとする。
【００１３】
【発明の実施の形態】
図１〜図１０は、本発明の商品陳列棚の一実施形態を示すもので、この実施形態は、図６に全体を示すように、側面視がほぼ二等辺三角形状の本体フレーム(１)の前後(以下、方向は図６の左方を前として説明する)両傾斜面に、商品を収納して陳列する多段状棚(２)等を係止してなるものである。
【００１４】
図１に示すように、本体フレーム(１)は、同形をなす前後１対の半フレーム(３)(３)を有している。
各半フレーム(３)は、丸パイプ材または角パイプ材よりなり、左右方向に水平に延びる頂部支杆(3a)と、その両端から斜下方に延びる傾斜支杆(3b)と、両傾斜支杆(3b)の下端より、前部側の半フレーム(３)は後方、後部側の半フレーム(３)は前方に、それぞれ頂部支杆(3a)のほぼ直下まで水平に延びる下脚杆(3c)とからなっている。
【００１５】
左右の傾斜支杆(3b)の下端部は、接続杆(４)により連結されており、頂部支杆(3a)、接続杆(４)及び左右の傾斜支杆(3b)により囲まれる傾斜空間には、上下及び左右方向に碁盤網目状をなすワイヤ支持面(５)が、例えば溶接により固着されている。
【００１６】
このような半フレーム(３)を２個、側面視がほぼ二等辺三角形状をなすように互いに前後に向き合わせて配設し、両半フレーム(３)の左右の下脚杆(3c)同士を、それぞれ、キャスター付きの脚台(６)にボルトとナット(7a)(7b)により止着し、かつ頂部支杆(3a)同士を連結することにより、本体フレーム(１)が形成されている。
【００１７】
頂部支杆(3a)同士の連結は、半フレーム(３)が丸パイプ材であれば、例えば図４に示すように、頂部支杆(3a)の内側面に垂直に溶接された連結片(８)同士をボルト(９)により締結することにより果たされる。
また、半フレーム(３)が角パイプ材であれば、例えば図５に示すように、別部材として用意された連結片(8a)を、頂部支杆(3a)の頂面にボルト(9a)により直接締結することにより果たされる。
【００１８】
このようにして完成された本体フレーム(１)の側面図を図２に、また、その正面または背面図を図３に、それぞれ示している。
【００１９】
図６に示す商品陳列棚は、ビデオソフトやコンパクトディスク、カセットテープ等の箱物の商品の陳列に用いられるもので、フレーム本体(１)の前後両面に取り付けられた多段状棚(２)に、商品(10)が収容される。
【００２０】
多段状棚(２)は、側面図である図６、図８、及び正面図である図７に示すように、ワイヤまたはそれに類似する線材料よりなり、図６及び図８に示すように、フレーム本体(１)の傾斜面よりも更に傾斜した陳列面を形成するように、太めのワイヤ(11)(11a)(11b)(11c)により骨格を形成するとともに、細目のワイヤ(12)により、上面が開放するＵ字状の商品載置部(13)を、上位のものが上方に向かって階段状に後退するようにして形成されている。陳列面の傾斜角度、及び商品載置部の大きさは、多段状棚(２)の種類により任意に設定することができる。
【００２１】
図８に示すように、多段状棚(２)の背部の上下及び左右には、係止フック(14)が突出して取付けられている。係止フック(14)は、図９に拡大して示すように、多段状棚(２)の背面のワイヤ(11)に、例えば溶接により固着された板金を曲げて形成した下向き幅広のフックであって、本体フレーム(１)の傾斜空間に設けた碁盤網目状のワイヤ支持面(５)の上下方向のワイヤに嵌まり込む縦スリット(14a)を備えている。
【００２２】
上記のような複数の係止フック(14)により、多段状棚(２)は本体フレーム(１)のワイヤ支持面(５)に係止されている。
図６に示すように、本体フレーム(１)の上端部には、最上段棚(15)が更に取り付けられている。
最上段棚(15)は、多段状棚(２)と同様のワイヤよりなり、図１０及び図１１に示すように、裏面に複数の係止フック(14)が固着され、かつ下端を前方に水平に延出させて、その先端を上方に折り曲げることにより、商品載置部(13)が形成されている。
また上端は、裏側に水平に折り曲げられ、本体フレーム(２)の頂部への当接部（図６参照）を形成している。
【００２３】
このような構成の商品陳列棚は、多段状棚(２)及び最上段棚(15)を取り外した本体フレーム(１)を、ボルト(7a)とナット(7b)を取り去って脚台(６)を外し、かつボルト(９)又は(9a)を取り去って連結板(８)又は(8a)同士を分離することにより、２個の半フレーム(３)に分解することができる。この状態で梱包すれば、荷姿が小さくなり、取り扱いや運送運搬に便利であり、かつ、設置現場における組立作業にも手間がかからない。
【００２４】
図１２に示す変形例は、上述と同様のワイヤ支持面(５)を備える本体フレーム(１)を用いて、多段状棚(２)及び最上段棚(15)を省略し、その代わりに、ビデオカセット等の商品(10)を左右一列ごとに収容する棚(16)を用いたものである。この棚(16)の係止には、前述と同様の係止フック(14)を用いることができる。
【００２５】
以上、本発明をその実施形態について詳述したが、本発明は、この実施形態に限定されるものではなく、幾多の変化変形が可能であり、例えば多段状棚や最上段棚等の棚を、例示の折曲したワイヤを組み合わせて溶接したものではなく、薄い鋼板を折曲したものとしてもよい。
【００２６】
【発明の効果】
請求項１記載の発明によれば、本体フレームが２個の半フレームよりなっているため、分解が容易で、これらを重ねて梱包すれば、荷姿を著しく小さくすることができ、運送運搬に便利である。また設置現場での組立は、両半フレームの下脚杆をボルト等により脚台に締結するだけでよいので、手間がかからず容易にできる。
【００２７】
請求項２記載の発明によれば、商品の陳列時の荷重が本体フレームの上端に加わっても、半フレームの上端が外方に開いて離間するのが防止される。
【００２８】
請求項３記載の発明によれば、棚の左右方向の長さや上下位置を、商品の形状等により自由に設定することができる。すなわち、従来のものでは、支柱に穿設した係止孔を利用して棚を取り付けているため、棚の左右方向の長さを自由に設定することが不可能である。
また、棚を本体フレームの間隔より短くもでき、かつ、ワイヤと係止フックを見ながら作業できるので、棚の取り付けやレイアウトの変更も容易である。
【００２９】
請求項４記載の発明によれば、棚の係止フックを自由な位置に係止しうるだけでなく、棚の支持強度及び本体フレームを構造的に強化することができる。
【００３０】
請求項５記載の発明によれば、多段状棚の取り付けが容易であるとともに、商品が階段状に陳列されるため、陳列商品の識別性が向上する。
【００３１】
請求項６記載の発明によれば、多段状棚を傾斜角度の異なるものと交換することにより、商品の種類等に応じてその陳列角度やレイアウト等を自由に変更することができる。
また、棚はワイヤにより形成されているため、軽量であり、取扱いが容易となる。
【００３２】
請求項７記載の発明によれば、縦スリットを、碁盤網目状ワイヤの上下方向のワイヤに嵌合させることで、棚の左右方向の移動ないしはずれを防止することができる。
【図面の簡単な説明】
【図１】本発明の商品陳列棚の本体フレームを分解して示す斜視図である。
【図２】同じく、本体フレームの側面図である。
【図３】同じく、本体フレームの正面図である。
【図４】同じく、本体フレームの頂部の拡大縦断面図である。
【図５】同じく、変形例における本体フレームの頂部の拡大縦断面図である。
【図６】同じく、商品陳列棚の側面図である。
【図７】図６に示す商品陳列棚の多段状棚及び最上段棚の正面図である。
【図８】多段状棚の側面図である。
【図９】図８に示す多段状棚の背面に設けた係止フックと、本体フレームの碁盤網目状ワイヤとの係合状態を示す拡大斜視図である。
【図１０】最上段棚の拡大正面図である。
【図１１】同じく、最上段棚の拡大側面図である。
【図１２】本発明の商品陳列棚の変形例の側面図である。
【符号の説明】
(１)本体フレーム
(２)多段状棚
(３)半フレーム
(3a)頂部支杆
(3b)傾斜支杆
(3c)下脚杆
(４)接続杆
(５)ワイヤ支持面
(６)脚台
(7a)ボルト
(7b)ナット
(８)(8a)連結片
(９)(9a)ボルト
(10)商品
(11)(11a)(11b)(11c)(12)ワイヤ
(13)商品載置部
(14)係止フック
(14a)縦スリット
(15)最上段棚
(16)棚
【図１】
0003543214.tif 000002
【図２】
0003543214.tif 000003
【図３】
0003543214.tif 000004
【図４】
0003543214.tif 000005
【図５】
0003543214.tif 000006
【図６】
0003543214.tif 000007
【図７】
0003543214.tif 000008
【図８】
0003543214.tif 000009
【図９】
0003543214.tif 000010
【図１０】
0003543214.tif 000011
【図１１】
0003543214.tif 000012
【図１２】
0003543214.tif 000013